【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
第１可変表示を行う第１可変表示手段と、第２可変表示を行う第２可変表示手段とを備え、前記第１可変表示手段と前記第２可変表示手段とのいずれかにおける表示結果が特定表示結果となったときに、遊技者にとって有利な有利状態に制御可能な遊技機であって、
前記第１可変表示手段による第１可変表示に関する情報を保留記憶情報として記憶する第１保留記憶手段と、
前記第２可変表示手段による第２可変表示に関する情報を保留記憶情報として記憶する第２保留記憶手段と、
前記第２保留記憶手段の保留記憶情報に基づく前記第２可変表示手段の第２可変表示を、前記第１保留記憶手段の保留記憶情報に基づく前記第１可変表示手段の第１可変表示よりも優先して実行する制御を行なう優先制御手段と、
所定条件の成立に基づいて、所定可変表示回数に亘り、少なくとも前記第２可変表示が通常状態よりも可変表示がされやすい時短状態に制御する時短制御手段と、
前記時短状態中に実行可能な可変表示の残回数を表示する時短残回数表示手段と、
前記残回数の表示を制御可能な残回数表示制御手段と、を備え、
前記時短制御手段は、少なくとも、前記時短状態中における前記第１可変表示および前記第２可変表示の合計回数が第１回数になった第１条件と、前記時短状態中における前記第２可変表示の回数が前記第１回数よりも少ない第２回数になった第２条件とのいずれか一方の条件が成立したことに基づいて前記時短状態を終了させ、
前記残回数表示制御手段は、
少なくとも、前記第１条件が成立するまでの前記第１可変表示および前記第２可変表示の合計回数の残回数が、前記第２条件が成立するまでの前記第２回数の残回数を超えているときは、前記残回数として当該第２回数の残回数を表示し、
少なくとも、前記第１条件が成立するまでの前記第１可変表示および前記第２可変表示の合計回数の残回数が、前記第２条件が成立するまでの前記第２回数の残回数未満であるときは、前記残回数として当該合計回数の残回数を表示し、
前記時短状態中において前記第２可変表示についての前記残回数の表示がされているときに前記第１可変表示が実行された場合は、当該残回数の表示を行わないように表示制御をすることが可能である、
ことを特徴とする、遊技機。
【手続補正２】
【補正対象書類名】明細書
【補正対象項目名】０００７
【補正方法】変更
【補正の内容】
【０００７】
（Ａ） 本発明に係る遊技機は、第１可変表示を行う第１可変表示手段と、第２可変表示を行う第２可変表示手段とを備え、前記第１可変表示手段と前記第２可変表示手段とのいずれかにおける表示結果が特定表示結果となったときに、遊技者にとって有利な有利状態に制御可能な遊技機であって、
前記第１可変表示手段による第１可変表示に関する情報を保留記憶情報として記憶する第１保留記憶手段と、
前記第２可変表示手段による第２可変表示に関する情報を保留記憶情報として記憶する第２保留記憶手段と、
前記第２保留記憶手段の保留記憶情報に基づく前記第２可変表示手段の第２可変表示を、前記第１保留記憶手段の保留記憶情報に基づく前記第１可変表示手段の第１可変表示よりも優先して実行する制御を行なう優先制御手段と、
所定条件の成立に基づいて、所定可変表示回数に亘り、少なくとも前記第２可変表示が通常状態よりも可変表示がされやすい時短状態に制御する時短制御手段と、
前記時短状態中に実行可能な可変表示の残回数を表示する時短残回数表示手段と、
前記残回数の表示を制御可能な残回数表示制御手段と、を備え、
前記時短制御手段は、少なくとも、前記時短状態中における前記第１可変表示および前記第２可変表示の合計回数が第１回数になった第１条件と、前記時短状態中における前記第２可変表示の回数が前記第１回数よりも少ない第２回数になった第２条件とのいずれか一方の条件が成立したことに基づいて前記時短状態を終了させ、
前記残回数表示制御手段は、
少なくとも、前記第１条件が成立するまでの前記第１可変表示および前記第２可変表示の合計回数の残回数が、前記第２条件が成立するまでの前記第２回数の残回数を超えているときは、前記残回数として当該第２回数の残回数を表示し、
少なくとも、前記第１条件が成立するまでの前記第１可変表示および前記第２可変表示の合計回数の残回数が、前記第２条件が成立するまでの前記第２回数の残回数未満であるときは、前記残回数として当該合計回数の残回数を表示し、
前記時短状態中において前記第２可変表示についての前記残回数の表示がされているときに前記第１可変表示が実行された場合は、当該残回数の表示を行わないように表示制御をすることが可能である、
ことを特徴とする。
（１）  また、他の遊技機として、第１可変表示（第１特別図柄の可変表示等）を行う第１可変表示手段（第１特別図柄表示器８ａ等）と、第２可変表示（第２特別図柄の可変表示等）を行う第２可変表示手段（第２特別図柄表示器８ｂ等）とを備え、前記第１可変表示手段と前記第２可変表示手段とのいずれかにおける表示結果が特定表示結果（大当り表示結果等）となったときに、遊技者にとって有利な有利状態（大当り遊技状態等）に制御可能な遊技機（パチンコ遊技機１等）であって、
前記第１可変表示手段による第１可変表示に関する情報を保留記憶情報として記憶する第１保留記憶手段（遊技制御用マイクロコンピュータ５６０、ＲＡＭ５５、第１保留記憶バッファ等）と、
前記第２可変表示手段による第２可変表示に関する情報を保留記憶情報として記憶する第２保留記憶手段（遊技制御用マイクロコンピュータ５６０、ＲＡＭ５５、第２保留記憶
バッファ等）と、
前記第２保留記憶手段の保留記憶情報に基づく前記第２可変表示手段の第２可変表示を、前記第１保留記憶手段の保留記憶情報に基づく前記第１可変表示手段の第１可変表示よりも優先して実行する制御を行なう優先制御手段（遊技制御用マイクロコンピュータ５６０、図１２のＳ５２〜Ｓ５４等）と、
所定条件の成立に基づいて、所定可変表示回数に亘り、少なくとも前記第２可変表示が通常状態よりも可変表示がされやすい時短状態に制御する時短制御手段（遊技制御用マイクロコンピュータ５６０、図１４のＳ１６３〜Ｓ１７０等）と、
前記時短状態中に実行可能な可変表示の残回数を表示する時短残回数表示手段（演出表示装置９、時短残回数表示部９６等）と、
前記残回数の表示を制御可能な残回数表示制御手段（演出制御用マイクロコンピュータ１００、図３３−２（Ｂ）のＳ９２５〜Ｓ９２９等）とを備え、
前記時短制御手段は、少なくとも、前記時短状態中における前記第１可変表示および前記第２可変表示の合計回数が第１回数（１１回等）になった第１条件と、前記時短状態中における前記第２可変表示の回数が前記第１回数よりも少ない第２回数（７回等）になった第２条件とのいずれか一方の条件が成立したことに基づいて前記時短状態を終了させ（遊技制御用マイクロコンピュータ５６０、図２の時短状態の設定、図１３のＳ１４２〜Ｓ１５１等）、
少なくとも、前記第１条件が成立するまでの前記第１可変表示および前記第２可変表示の合計回数の残回数が、前記第２条件が成立するまでの前記第２回数の残回数を超えているときには、前記残回数として当該第２回数の残回数を表示し（図３３−１の（Ｂ）〜（Ｇ）、図３３−２（Ｂ）のＳ９２７，Ｓ９２８、図３３−３の（Ｂ）〜（Ｇ）、図３３−４（Ｂ）のＳ９２７，Ｓ９２８等）、
少なくとも、前記第１条件が成立するまでの前記第１可変表示および前記第２可変表示の合計回数の残回数が、前記第２条件が成立するまでの前記第２回数の残回数未満であるときには、前記残回数として当該合計回数の残回数を表示する（図３３−１の（Ｈ）、図３３−２（Ｂ）のＳ９２７，Ｓ９２９、図３３−２の（Ｈ）、図３３−４（Ｂ）のＳ９２７，Ｓ９２９等）、
ことを特徴としてもよい。